(57)【要約】      （修正有）【課題】吹き筒を口にくわえた状態で、吹き矢の初心者でも、簡単に、両眼で照準を合わせられ、手振れも抑制することができる照準器を提供する。【解決手段】細い垂直棒２と垂直に取り付けたスライド管４で上下調節可能な水平棒３からなる十字架状の照準器を、吹き筒よりも少し内径の大きな筒通し穴の真上に設け、筒通し穴の直下に照準器の重心を設けた構造で、吹き筒７先端に取り付ける２つのリング状のストッパー５の間に照準器を取り付け、照準合わせを両眼視差でし、手振れを抑制しなければ照準器が揺れて照準が定まらない仕組みの手振れ防止機能を兼ね備えた双眼照準器１とした。【選択図】図２
0003136773.tif 000002
【実用新案登録請求の範囲】
【請求項１】
銃器に例えれば、銃身先端の照星が付けられる位置である吹き筒先端に、細い垂直棒と垂直に取り付けたスライド管で上下調節可能な水平棒からなる十字架状の照準器を、吹き筒よりも少し内径の大きな筒通し穴の真上に設け、筒通し穴の直下に照準器の重心を設けた構造で、先に、リング状のストッパーを通した吹き筒先端に筒通し穴を通した後、もう一つのリング状のストッパーを吹き筒の先端に通して吹き筒に組み付け、吹き筒の吹き口を口にくわえたまま的を直視することにより眼に入る十字架状の照準器の両眼視差によって照準を合わせ、手振れ防止機能も兼ね備える双眼照準器。
【考案の詳細な説明】
【技術分野】
【０００１】  本考案は、両眼を使って照準を合わせる射的の照準器に関するものである。
【背景技術】
【０００２】  スポーツとしての吹矢が普及しているが、矢を的に命中させる命中率を高めるには、吹き筒に吹き込む息の強さやタイミングを、修練によって掴まなければならず、狙いを付けるにも、単に丸い筒である吹き筒には、銃器に備わっているような照準器がなく、感覚によって照準の合う位置をつかむしかなかった。【０００３】  何とか、吹き矢に照準器を付けようと努力したものとしては、以下のようなものがある。
特開２００３−０４２６９４のスポーツ用照準器付吹き矢銃では、照門と照星を備えて銃床の上に乗った吹き筒の終端から、さらにＳ字型の筒を連結して口元まで伸ばし、小銃を構えるようにして、銃器と同様に、単眼で、照門と照星を合わせて狙いを付けるものであるが、矢を装填する手数がかかり、銃を構えるような姿勢では、強い息を吹き込むことが困難であり、構造が複雑になり製造価格が大きくなる欠点もある。
特開２０００−１８００９４の吹き矢があるが、これも、銃床の上に吹き筒が乗り、銃器と同様に、単眼で照門と照星を合わせて狙いを付ける原理と、吹き筒に口までの湾曲した筒を連結することは、特開２００３−０４２６９４のスポーツ用照準器付吹き矢銃と同じであり、欠点も同じである。
実開昭６２−４５５９７のゲーム用吹矢も、吹き筒終端から口までの湾曲管にゴム管を使ったことが特徴であるが、銃床の上に、照門と照星の付いた吹き筒が乗り、銃器と同様に、単眼で照門と照星を合わせて狙いを付ける原理も、欠点も、特開２００３−０４２６９４のスポーツ用照準器付吹き矢銃と同じである。
特開２００２−３５７３９９の吹き矢具は、上部に照門と照星の付いた吹き筒を眼の高さまで上げるために、吹き筒下部に取っ手を取り付け、吹き筒終端から口まで、Ｚ形の吹き筒を連結して息を吹き込むものであるが、銃床はないものの、銃器と同様に、照門と照星を合わせて単眼で狙いを付ける点は、特開２００３−０４２６９４のスポーツ用照準器付吹き矢銃と同様であり、欠点も同様である。
実開平３−１２１３８１の吹き矢では、吹き筒の先端に付いた照星と、吹き口近くに、照星に向けて傾斜設置した反射鏡を持つ照門とを備え、照星と照門の中間に眼の高さまで上げ、眼と口の高低差を解決するための顔に向けた反射鏡を設置することにより、照門の反射鏡内に写る照星を、照門と照星の中間に設置した反射鏡で見ることにより、実際の照門を通してみる照星により照準を合わせるのと同じ効果を狙った仕組みの照準器である。これも、吹き筒に設置する反射鏡が複雑となり、製造価格が大きくなることと、照門と照星を合わせて単眼で狙いを付ける点は、特開２００３−０４２６９４のスポーツ用照準器付吹き矢銃と同様であり、欠点も同様である。
吹き矢では、吹き筒を口にくわえることで、吹き口は、両眼中央下部の、口の位置に固定される。単眼で標準を合わせようとすると、吹き筒の終端を銃器のように眼の位置まで上げなければならないのと、片眼の前までずらす必要があるので、で、前述の、いくつかの例のごとく、吹き筒終端から口までの間を、湾曲した筒を連結してつながなければならないが、両眼で照準を合わせることができれば、吹き筒終端に連結する湾曲管は必要なくなる。
【考案の開示】
【考案が解決しようとする課題】
【０００４】  複雑な機構を持たずに製造価格を抑え、真っ直ぐな管である吹き筒を、直接、口にくわえた状態で、吹き矢の初心者でも、簡単に、両眼で照準を合わせつつ命中の妨げになる手振れも抑制することができる照準器を得ることである。
【課題を解決するための手段】
【０００５】  本考案は、銃器に例えれば、銃身先端の照星が付けられる位置である吹き筒先端に、細い垂直棒と垂直に取り付けたスライド管で上下調節可能な水平棒からなる十字架状の照準器を、水滴状の板材の細い部分の先端に垂直に埋め込み、その直下に吹き筒の径よりも、少し大きな正円の筒通し穴を開け、先に、リング状のストッパーを通した吹き筒を筒通し穴に通して、吹き筒の先端に、もう一つのリング状のストッパーを通して、吹き筒の吹き口を口にくわえたまま的を直視することにより眼に入る十字架状の照準器の両眼視差によって照準を合わせる双眼照準器とし、水滴形の双眼照準器は、重心が下部にあり、吹き筒に通した吹き筒よりも少し大きな穴の一接触点で支えているので、手振れを無くさなければ十字架状の照準器は揺れてしまって安定しないことから、両眼で照準を合わせることが手振れを抑えることにつながり、両眼による照準合わせと手振れの抑制と言う２つの問題点を解決した。
【考案の効果】
【０００６】  本考案の双眼照準器は、狙いの付け方が分からないと言う吹き矢の初心者が、狙いの感覚を身につけるための助けになり、照準を合わせようとするほどに手振れが抑制されると言う二重の効果があるので、狙いの感覚が身に付いた後は、本考案の双眼照準器を外しても変わらぬ命中率を確保できるので、吹き矢を始めても、命中率の低さから、嫌気が差して止めてしまうと言うようなことを防ぐために役立つ。
【考案を実施するための最良の形態】
【０００７】  本考案の双眼照準器を使用するには、先に、リング状のストッパーを通した吹き筒を筒通し穴に通して、吹き筒の先端にも、もう一つのリング状のストッパーを通して吹き筒からの脱落を防止した状態で、吹き筒の吹き口を口にくわえたまま的を直視することにより眼に入る十字架状の照準器の両眼視差によって照準合わせをして使用する。
【実施例】
【０００８】  以下、添付図面に従って実施例を説明する。図１は分解斜視図であり、吹き筒７に取り付ける前の部品構成を示す斜視図である。図２は、組み付け斜視図であり、吹き筒７に組み付けた状態で可動部分を示す斜視図である。図３は、銃器照準合わせ側面図であり、銃器で、照門１０と照星９を使って照準合わせをする側面図である。図４は、銃器照準合わせ部分拡大側面図であり、遠・近・中の距離にある的の位置によって変化する照門と眼の関係を示す側面図である。図５は、吹き矢照準合わせ側面図であり、本考案の双眼照準器１を使って照準合わせをする側面図である。図６は、吹き矢照準合わせ部分拡大側面図であり、遠・近・中の距離にある的の位置によって変化する水平棒３と眼の関係を示す側面図である。図７は、銃器照準合わせ斜視図であり、実際に、銃器を構えて、単眼で見た照準合わせの斜視図である。図８は、吹き矢照準合わせ斜視図であり、実際に、吹き筒の吹き口を口にくわえて構え、両眼で見た照準合わせの斜視図である。図９はワイヤー製双眼照準器の分解斜視図であり、筒通し穴６をワイヤーで作り、筒通し穴６から下部にワイヤーを延長し、おもり１８を付けたもので、吹き筒７に取り付ける前の部品構成を示す斜視図である。【０００９】  図１は分解斜視図であり、吹き筒７に取り付ける前の部品構成を示す斜視図である。
双眼照準器１は水滴状の形状をした板材で、細くなった上部の先端に垂直棒２が立ち、垂直棒２の直下に、吹き筒７の外径よりも少し大きな内径の筒通し穴６が開いて、垂直棒２には水平棒３の付いた上下調節可能なスライド管４が刺さり、筒通し穴６の前後には、脱落防止の役割で、吹き筒の外形と同じ内径を持ったストッパー５が吹き筒に取り付く構成となっている。
図９は、板材を使わず、双眼照準器１をワイヤーとおもりで制作する場合の構成である。
図２は、組み付け斜視図であり、双眼照準器１を吹き筒７に組み付けた状態で矢印によって可動部分を示している。吹き筒７に通した２つのストッパー５と双眼照準器１との間は、少しのすき間を空けて取り付け、水平棒３の取り付いたスライド管４は、矢印の示す上下方向に調節が可能であり、標的までの距離によって水平棒３の位置を調節できるようになっており、双眼照準器は水滴形をしているので、筒通し穴６との位置関係により、重心が下部に偏り、その重さで垂直棒２を垂直に立たせるが、筒通し穴６は吹き筒７よりも径が大きいため、吹き筒７を持つ手が手振れすれば、矢印の示す左右方向に揺れてしまい、垂直棒２を垂直に保つことができない。手振れが抑制された時だけ、照準を合わせることができる構造になっている。【００１０】  図３は、銃器照準合わせ側面図であり、銃器で、照門１０と照星９を使って照準合わせをする側面図である。銃器では、的までの距離によって定められた照門１０の目盛位置に照星９を合わせることによって照準合わせをする。照星９を支点として、遠的照準線１４を通して遠的１１を見る眼は、照門１０の低い位置の目盛に照星９を合わせて見ることになるが、近的照準線１６を通して近的１３を見る眼は、照門１０の高い位置の目盛に照星９を合わせてみることになり、中的１２の場合は、その中間となる。このように、照星９を支点として、的までの距離が変われば照門１０の目盛位置も変わり、照門１０をのぞき見る眼の位置も変わるが、実際には、眼の位置は固定なので、照門１０の目盛に合わせて銃身８の傾きを変えることによって照準を合わせている。この照準の合わせ方は、片眼を閉じて単眼を照門１０の真後ろに置くことによって、標的に照準を合わせるが、眼のピントを照星９に合わせることになるので的がぼやけて見える欠点がある。
図４は、銃器照準合わせ部分拡大側面図であり、標的までの距離により、照門１０の目盛位置の上下移動に合わせて、照門１０から照星９をのぞき見る眼の位置も上下に移動することを示す図である。標的までの距離によって、照門１０の目盛位置は、矢印に示すように変化するので、照門１０をのぞき見る眼の位置も矢印で示すように変化させることになる。【００１１】  図５は、吹き矢照準合わせ側面図であり、本考案の双眼照準器１を使って照準合わせをする側面図である。吹き矢の場合、銃器と違い、吹き筒をくわえる口と照準を合わせる眼の位置は、人により個人差はあるものの、常に固定であり、遠的１１や中的１２及び近的１３の、それぞれをを見つめる視線である各照準線の支点となるのは、どれも眼である。
銃器の照準合わせの場合は、照星９を照門１０の目盛に合わせることで行うため、照星９を支点として、遠的１１は、照門１０の低い位置からのぞき見ることになり、近的１３は、照門１０の高い位置からのぞき見ることになるが、吹き矢の照準合わせの場合は、双眼照準器１の水平棒３に標的を合わせることで行うため、眼の位置を支点として、銃器とは逆に、遠的１１は、双眼照準器１の垂直棒２の高い位置からのぞき見ることになり、近的１３は、双眼照準器１の垂直棒２の低い位置からのぞき見ることになる。
図６は、吹き矢照準合わせ部分拡大側面図であり、標的までの距離により、双眼照準器１の水平棒３の位置に合わせて、視線である照準線が変化することを示す図である。眼の位置が固定なので、口にくわえた吹き筒７の先端を上下させて、矢印に示すように水平棒３の位置を変化させて照準合わせをすることになる。【００１２】  図７は、銃器照準合わせ斜視図であり、実際に、銃器を構えて、単眼で見た照準合わせの斜視図である。矢印で示すように、照門１０に取り付けられた水平棒３は、照門１０に刻印された距離を示す目盛に合わせて上下に調整できるようになっている。銃器では、片目を閉じた単眼で、水平棒３の中央に刻んだ切り込みの位置と銃身８の先端に付けた照星９と標的１７を重ね合わせることで照準を合わせるようになっている。単眼でのぞき見るので、両眼視差がなくなり視線が１本で分かりやすいが、眼の焦点は照星９に合わせるので、標的１７と照門は、ぼやけて見えるのが難点である。【００１３】  図８は、吹き矢照準合わせ斜視図であり、実際に、本考案の双眼照準器１を組み付けた吹き筒７を口にくわえて構え、両眼で見た時の照準合わせの斜視図である。本考案の双眼照準器１は、両眼を開いたままで、両眼視差を利用して照準を合わせ、同時に、照準を合わせようとするほど手振れを防止する機能も働く仕組みの照準器である。
吹き筒７を口にくわえて標的１７に筒先を向け、眼の焦点を標的１７に合わせると、両眼視差によって、吹き筒７も、双眼照準器１も右眼が見たものと左眼が見たものが２つ見えることになる。それぞれ、右眼が見た映像は左に、左眼が見た映像は右に交差して見える。照準を合わせるには、標的１７に眼の焦点を合わせ、右眼が見る垂直棒２ａと左眼が見る垂直棒２ｂの中間に標的１７を入れ、標的１７までの距離に合わせて上下に調節した、右眼が見る水平棒３ａの右端と左眼が見る水平棒３ｂの左端が、標的１７の中央になるようにすることで、照準が合うことになる。この際、双眼照準器の重心は、上部よりもわずかに重く下部にあるので、吹き筒７の外径よりも少し大きな内径の筒通し穴６に吹き筒７を通して支えられている双眼照準器１は、手振れを起こすと、垂直棒２と水平棒３からなる十字架は、揺れてしまって垂直と水平を保てなくなるので、照準を合わせようとすればするほど、手振れを抑えることになり、手振れのない吹き筒７の構え方が自然に身に付くことになる。又、眼の焦点を標的に合わせるので、銃器の照星に眼の焦点を合わせて目標である標的がぼやけてみえるというようなことがなく、標的がハッキリ見える分、精神集中力が高まる効果もある。
【産業上の利用可能性】
【００１４】  吹矢は、腹式呼吸と胸式呼吸の両方を使い、健康増進や、精神集中力を高める効果が有り、スポーツとして普及されてはいるものの、吹き筒に吹き込む息の強さやタイミングを、修練によって掴まなければならないし、特に、狙いの付け方が難しく、的中率が低いがゆえに、途中で継続する気持ちを無くしてしまい、長続きしないで終わってしまうこともあったが、初心者が、本考案の双眼照準器を使用することで、両眼視差による狙いの付け方が分かりやすく身に付く上に、双眼照準器を使うほど手振れの矯正機能が働くので、命中率が上がった頃には、双眼照準器を外しても、命中するようになり、おもしろさを覚えて長続きすることが出来、子供達の精神集中力の向上や高齢者の健康維持や健康増進に大いに役立つ。
【図面の簡単な説明】
【００１５】
【図１】双眼照準器の分解斜視図である。
【図２】双眼照準器の組み付け斜視図である。
【図３】銃器照準合わせ側面図である。
【図４】銃器照準合わせ部分拡大側面図である。
【図５】吹き矢照準合わせ側面図である。
【図６】吹き矢照準合わせ部分拡大側面図である。
【図７】銃器照準合わせ斜視図である。
【図８】吹き矢照準合わせ斜視図である。
【図９】ワイヤー製双眼照準器の分解斜視図である。
【符号の説明】
【００１６】１  双眼照準器
１ａ  右眼が見る双眼照準器
１ｂ  左眼が見る双眼照準器
２  垂直棒
２ａ  右眼が見る垂直棒
２ｂ  左眼が見る垂直棒
３  水平棒
３ａ  右眼が見る水平棒
３ｂ  左眼が見る水平棒
４  スライド管
４ａ  右眼が見るスライド管
４ｂ  左眼が見るスライド管
５  ストッパー
６  筒通し穴
７  吹き筒
７ａ  右眼が見る吹き筒
７ｂ  左眼が見る吹き筒
８  銃身
９  照星
１０  照門
１１  遠的
１２  中的
１３  近的
１４  遠的照準線
１５  中的照準線
１６  近的照準線
１７  標的
１８  おもり
【図１】
0003136773.tif 000003
【図２】
0003136773.tif 000004
【図３】
0003136773.tif 000005
【図４】
0003136773.tif 000006
【図５】
0003136773.tif 000007
【図６】
0003136773.tif 000008
【図７】
0003136773.tif 000009
【図８】
0003136773.tif 000010
【図９】
0003136773.tif 000011